【手続補正書】
【提出日】平成19年4月13日(2007.4.13)
【手続補正１】
【補正対象書類名】特許請求の範囲
【補正対象項目名】全文
【補正方法】変更
【補正の内容】
【特許請求の範囲】
【請求項１】
基地局を介して通信を行う第１の通信モードと無線端末と直接通信する第２の通信モードとにより無線通信可能な無線端末間における通信制御方法であって、
第１の無線端末が前記第１の通信モードで通信中に、第２の無線端末からその存在を報知する探索信号を受信した場合、前記第２の無線端末と接続する接続工程と、
前記第２の無線端末により、前記第１の無線端末が所定の機能を有するかを判定するための判定工程と、
前記判定工程における判定結果に基づいて、前記第２の無線端末から前記第１の無線端末に対して前記第２のモードでデータを送信するデータ送信工程と
を有することを特徴とする通信制御方法。
【請求項２】
基地局を介して通信を行う第１の通信モードと無線端末と直接通信する第２の通信モードとにより無線端末と通信可能な無線端末装置であって、
前記第１の通信モードで通信中に、他の無線端末からその存在を報知する信号を受信する受信手段と、
前記受信手段により受信した信号に含まれる情報に基づいて、前記他の無線端末と接続する接続手段と、
前記他の無線端末との間で行われた機能判定の結果に応じて、前記第２のモードで送信されるデータを受信するデータ受信手段と
を備えることを特徴とする無線端末装置。
【請求項３】
前記データ受信手段により受信したデータに基づいて画像を印刷する印刷手段をさらに備え、前記機能判定は、印刷のためのプロトコルを実行可能か否かの判定であることを特徴とする請求項２に記載の無線端末装置。
【請求項４】
前記接続手段は、前記第２の通信モードにより前記他の無線端末と接続することを特徴とする請求項２又は３に記載の無線端末装置。
【請求項５】
前記接続手段は、前記第１の通信モードによる通信を中断して、前記第２の通信モードにより前記他の無線端末と接続することを特徴とする請求項４に記載の無線端末装置。
【請求項６】
前記接続手段は、前記受信手段により受信した信号に含まれるネットワーク識別子に基づいて、前記他の無線端末と接続することを特徴とする請求項２に記載の無線端末装置。
【請求項７】
無線端末と直接無線通信可能な無線端末装置であって、
他の無線端末に対して、基地局を介して通信を行う第１の通信モードと無線端末と直接通信する第２の通信モードの何れかのモードかを示す情報と、ネットワークを識別するためのネットワーク識別子と、を含む信号を送信する送信手段と、
前記信号を受信した他の無線端末と接続した場合、前記他の無線端末との間で実行可能な機能の判定処理を行う判定手段と、
前記判定手段による判定に応じて、前記他の無線端末に対してデータを送信するデータ送信手段と、
を備えることを特徴とする無線端末装置。
【請求項８】
光学的に画像を撮影して画像データとして保存する撮影手段をさらに備え、前記データ送信手段は、前記撮影手段により撮影した画像データを送信することを特徴とする請求項７に記載の無線端末装置。
【請求項９】
前記判定手段による判定により、所定の機能を有すると判定された他の無線端末を表示する表示手段と、
前記表示手段による表示に基づいて、ユーザにより選択された無線端末と直接接続し、前記データ送信手段によりデータを送信することを特徴とする請求項７に記載の無線端末装置。
【請求項１０】
基地局を介して通信を行う第１の通信モードと無線端末と直接通信する第２の通信モードとにより無線端末と通信可能な無線端末装置の制御方法であって、
前記第１の通信モードで通信中に、他の無線端末からその存在を報知する信号を受信する受信工程と、
前記受信工程において受信した信号に含まれる情報に基づいて、前記他の無線端末と接続する接続工程と、
前記他の無線端末との間で行われた機能判定の結果に応じて、前記第２のモードで送信されるデータを受信するデータ受信工程と
を有することを特徴とする無線端末装置の制御方法。
【請求項１１】
無線端末と直接無線通信可能な無線端末装置の制御方法であって、
他の無線端末に対して、基地局を介して通信を行う第１の通信モードと無線端末と直接通信する第２の通信モードの何れかのモードかを示す情報と、ネットワークを識別するためのネットワーク識別子と、を含む信号を送信する送信工程と、
前記信号に対して他の無線端末と接続した場合、前記他の無線端末との間で実行可能な機能の判定処理を行う判定工程と、
前記判定工程における判定に応じて、前記他の無線端末に対してデータを送信するデータ送信工程と、
を有することを特徴とする無線端末装置の制御方法。
【請求項１２】
請求項１０又は１１に記載の制御方法をコンピュータに実行させるためのコンピュータプログラム。
【手続補正２】
【補正対象書類名】明細書
【補正対象項目名】発明の名称
【補正方法】変更
【補正の内容】
【発明の名称】通信制御方法、無線端末装置、無線端末装置の制御方法、並びに当該制御方法をコンピュータに実行させるためのコンピュータプログラム
【手続補正３】
【補正対象書類名】明細書
【補正対象項目名】００２２
【補正方法】変更
【補正の内容】
【００２２】
すなわち、基地局を介して通信を行う第１の通信モードと無線端末と直接通信する第２の通信モードとにより無線通信可能な無線端末間における通信制御方法であって、第１の無線端末が前記第１の通信モードで通信中に、第２の無線端末からその存在を報知する探索信号を受信した場合、前記第２の無線端末と接続する接続工程と、前記第２の無線端末により、前記第１の無線端末が所定の機能を有するかを判定するための判定工程と、前記判定工程における判定結果に基づいて、前記第２の無線端末から前記第１の無線端末に対して前記第２のモードでデータを送信するデータ送信工程とを有する。
あるいは、基地局を介して通信を行う第１の通信モードと無線端末と直接通信する第２の通信モードとにより無線端末と通信可能な無線端末装置であって、前記第１の通信モードで通信中に、他の無線端末からその存在を報知する信号を受信する受信手段と、前記受信手段により受信した信号に含まれる情報に基づいて、前記他の無線端末と接続する接続手段と、前記他の無線端末との間で行われた機能判定の結果に応じて、前記第２のモードで送信されるデータを受信するデータ受信手段とを備える。
あるいは、無線端末と直接無線通信可能な無線端末装置であって、他の無線端末に対して、基地局を介して通信を行う第１の通信モードと無線端末と直接通信する第２の通信モードの何れかのモードかを示す情報と、ネットワークを識別するためのネットワーク識別子と、を含む信号を送信する送信手段と、前記信号を受信した他の無線端末と接続した場合、前記他の無線端末との間で実行可能な機能の判定処理を行う判定手段と、前記判定手段による判定に応じて、前記他の無線端末に対してデータを送信するデータ送信手段とを備える。
あるいは、基地局を介して通信を行う第１の通信モードと無線端末と直接通信する第２の通信モードとにより無線端末と通信可能な無線端末装置の制御方法であって、前記第１の通信モードで通信中に、他の無線端末からその存在を報知する信号を受信する受信工程と、前記受信工程において受信した信号に含まれる情報に基づいて、前記他の無線端末と接続する接続工程と、前記他の無線端末との間で行われた機能判定の結果に応じて、前記第２のモードで送信されるデータを受信するデータ受信工程とを有する。
あるいは、無線端末と直接無線通信可能な無線端末装置の制御方法であって、他の無線端末に対して、基地局を介して通信を行う第１の通信モードと無線端末と直接通信する第２の通信モードの何れかのモードかを示す情報と、ネットワークを識別するためのネットワーク識別子と、を含む信号を送信する送信工程と、前記信号に対して他の無線端末と接続した場合、前記他の無線端末との間で実行可能な機能の判定処理を行う判定工程と、前記判定工程における判定に応じて、前記他の無線端末に対してデータを送信するデータ送信工程とを有する。